(57)【要約】      （修正有）【課題】アンチトリッピングの構造が比較的安定で、しかも密封性も良好である密封包装容器を提供する。【解決手段】密封包装容器は、容器蓋１と開口容器本体２とを含み、容器蓋１のエッジは、容器本体の口エッジと対応し、回転構造の第１、第２の内側マッチング溝１１、２１と第１、第２の外側マッチング溝１２、２２を設けており、また、アンチトリッピングの構造も設けられる。第２の外側マッチング溝２２の外溝壁２２３は、上端部から下向きに延伸し、二つの裂けやすいインデントを設ける。密封包装容器は、強い変形防止能力を備える。【選択図】図２
0003233393.tif 000002
【実用新案登録請求の範囲】
【請求項１】
容器蓋と開口容器本体とを含み、前記容器蓋のエッジは、外側向きに延伸し、溝口が下方向きの環状な第１の内側マッチング溝を設け、前記第１の内側マッチング溝の外溝壁の下端は、外側および上方に順番に曲げられて延伸し、溝口が上方向きの環状な第１の外側マッチング溝を形成し、前記容器本体の口エッジは、外側へ延伸し溝口が下方向きの環状な第２の内側マッチング溝を設け、前記第２の内側マッチング溝の外溝壁の下端は、外側および上方に順番に曲げられて延伸し、溝口が上方向きの環状な第２の外側マッチング溝を形成し、前記第１の内側マッチング溝と、前記第１の外側マッチング溝と、前記第２の内側マッチング溝と、前記第２の外側マッチング溝とは、すべて、弾性なマッチング溝であって、前記第２の内側マッチング溝は、前記第１の内側マッチング溝に係合され、前記第１の外側マッチング溝は、前記第２の外側マッチング溝に係合されており；
前記第２の外側マッチング溝の外溝壁の内側面には、リミットストップが設けられ、前記リミットストップは、前記第１の外側マッチング溝の外溝壁の上端部をロックしており、及び／又は、前記第２の外側マッチング溝の外溝壁は、逆テーパー面の構造を呈し、前記第１の外側マッチング溝の外溝壁は、前記第２の外側マッチング溝の外溝壁との間に、互いに面接触し、または弾性支持の方法で互いに線接触し、及び／又は、前記第１の内側マッチング溝の内溝壁の外側面と前記第２の内側マッチング溝の内溝壁の内側面は、それぞれ、互いに係合する第１の内側頂圧部品と第２の内側頂圧部品を設け、及び／又は、前記第１の内側マッチング溝の外溝壁の内側面と前記第２の内側マッチング溝の外溝壁の外側面は、それぞれ、互いに係合する第１の外側頂圧部品と第２の外側頂圧部品を設けており；
前記第１の内側マッチング溝の内溝壁と前記第２の内側マッチング溝の内溝壁は、お互いに適合の円錐形を呈し、しかも相互に貼り付けられていて、または、前記第１の内側マッチング溝の外溝壁と前記第２の内側マッチング溝の外溝壁は、お互いに適合の円錐形を呈し、しかも相互に貼り付けられていて、及び／又は、前記第１の外側マッチング溝の外溝壁と前記第２の外側マッチング溝の外溝壁は、お互いに適合の円錐形を呈し、しかも相互に貼り付けられて或いは弾性支持の方法で互いに線接触しており；
前記第１の内側マッチング溝の内溝壁は、前記第２の内側マッチング溝の内溝壁との間に、弾性支持の方法で互いに線接触し、及び／又は、前記第１の内側マッチング溝の外溝壁は、前記第２の内側マッチング溝の外溝壁との間に、弾性支持の方法で互いに線接触しており、
前記第２の外側マッチング溝の外溝壁は、上端部から下向きに延伸し、二つの裂けやすいインデントを設け、前記二つのインデントの間での部分は、偽造防止のティアーストリップを形成し、前記二つのインデントの深さは、前記第２の外側マッチング溝の外溝壁の厚さよりもわずかに浅いことを特徴とする新規の密封包装容器。
【請求項２】
前記容器蓋のエッジは、上向きに曲げられて延伸し、前記第１の内側マッチング溝の内溝壁を形成し、前記第１の内側マッチング溝の内溝壁の上端部は、外側へ曲げられて延伸し、前記第１の内側マッチング溝の溝トップ部を形成し、前記第１の内側マッチング溝の溝トップ部の外端部は、下向きへ曲げられて延伸し、前記第１の内側マッチング溝の外溝壁又は、前記第１の外側マッチング溝の内溝壁を形成し、前記第１の内側マッチング溝の外溝壁の下端部は、外側へ曲げられて延伸し、前記第１の外側マッチング溝の溝底を形成し、前記第１の外側マッチング溝の溝底の外端部は、上向きに曲げられて延伸し、前記第１の外側マッチング溝の外溝壁を形成し、前記容器本体の口エッジは上方へ曲げられて延伸し、前記第２の内側マッチング溝の内溝壁を形成し、前記第２の内側マッチング溝の内溝壁の上端部は、外側へ曲げられて延伸し、前記第２の内側マッチング溝の溝トップ部を形成し、前記第２の内側マッチング溝の溝トップ部の外端部は、下向きへ曲げられて延伸し、前記第２の内側マッチング溝の外溝壁又は、前記第２の外側マッチング溝の内溝壁を形成し、前記第２の内側マッチング溝の外溝壁の下端部は、外側へ曲げられて延伸し、前記第２の外側マッチング溝の溝底を形成し、前記第２の外側マッチング溝の溝底の外端部は、上向きに曲げられて延伸し、前記第２の外側マッチング溝の外溝壁を形成することを特徴とする請求項１に記載の新規の密封包装容器。
【請求項３】
前記第１の内側マッチング溝の内溝壁と、前記第２の内側マッチング溝の内溝壁と、前記第１の内側マッチング溝の外溝壁と、前記第２の内側マッチング溝の外溝壁とのテーパーは、すべて２〜１２°となることを特徴とする請求項１に記載の新規の密封包装容器。
【請求項４】
前記第１の外側マッチング溝または／及び前記第２の内側マッチング溝の内部は、中実の円錐体で満たされていることを特徴とする請求項１に記載の新規の密封包装容器。
【請求項５】
前記第１の外側マッチング溝は、締まりばめの方式で第２の外側マッチング溝に係合され、又は／及び前記第２の内側マッチング溝は、締まりばめの方式で第１の内側マッチング溝に係合されることを特徴とする請求項１に記載の新規の密封包装容器。
【請求項６】
前記第１の内側マッチング溝の内溝壁の外側面は、第１の内側頂圧部品を設け、または前記第２の内側マッチング溝の内溝壁の内側面は、第２の内側頂圧部品を設け、または、前記第１の内側マッチング溝の外溝壁の内側面は、第１の外側頂圧部品を設け、または前記第２の内側マッチング溝の外溝壁の外側面は、第２の外側頂圧部品を設けることを特徴とする請求項５に記載の新規の密封包装容器。
【請求項７】
前記第１の内側マッチング溝の内溝壁は、前記第２の内側マッチング溝の内溝壁と正接し、および／または前記第１の内側マッチング溝の外溝壁は、前記第２の内側マッチング溝の外溝壁と正接することを特徴とする請求項１に記載の新規の密封包装容器。
【請求項８】
前記インデントは、前記第２の外側マッチング溝の外溝壁の下端部まで延伸し、前記第２の外側マッチング溝の溝底が偽造防止のティアーストリップに対応する部分は、複数の中空部を設け、複数の前記偽造防止のティアーストリップと前記第２の外側マッチング溝の内溝壁との間に接続している接続リッブを形成し、前記中空部は、密封されてフィルムで覆われることを特徴とする請求項１に記載の新規の密封包装容器。
【考案の詳細な説明】
【技術分野】
【０００１】
本考案は、容器に関し、特に新規の密封包装容器に関するものである。
【背景技術】
【０００２】
従来の食品容器または包装容器は、例えば、特許番号86210848、87216769、89200752、94222756などに開示されている密封ランチボックス等、その密封装置が、ロック、バックル、渦巻き等の締付け機構と密封部品で構成されて、これらの設計は、複雑な構造と高コストという欠点があるだけでなく、プラスチックや紙のファストフードボックスにも適していない。特許番号89218416は、プラスチックブリスターのファストフードのボックスを開示し、凹面と凸面の２段のセルフロック構造により、元の製品の平面吻合に置き換わるため、ファストフードのボックスを閉じた後は、外側に頼らずに開くことができず、密封性能を回改善する。しかしながら、このようなファストフードのボックスを絞って変形させると、ボックスの蓋とボックスの本体の間に隙間ができてしまって、スープがあふれるのを効果的に防ぐことはできない。
【０００３】
中国の発明特許200510042475.8は、密閉性能と圧縮強度に優れ、スープのこぼれを効果的に防ぎ、しかもフレキシブルのボックス本体を絞ったときにボックスの蓋が脱落しにくい、完全に密封型で超薄い食品容器を開示している。この発明は、ボックス蓋と開口ボックス本体を含み、ボックス蓋の辺縁は、上向きに伸びて内溝壁を形成し、内溝壁の上端部が水平に外側へ曲げて伸ばし、溝トップ部を形成し、溝トップ部の外端部が下向きに曲げて外溝壁を形成し、内溝壁、溝トップ部、外溝壁は、下向きに開いた環状溝を形成し、ボックス本体のボックス口は、上向きに延伸し内側の直線エッジを形成し、内側の直線エッジの上端部は、水平に外側へ曲げられて延伸し平らなエッジを形成し、平らなエッジの外端部は、下向きに曲げられて延伸し、外側の直線エッジを形成し、前記内側の直線エッジ、前記平らなエッジと前記外側の直線エッジは、、ボックス口複合エッジを形成し、溝カバーは、前記ボックス口複合エッジにバックルされて、溝の内溝壁の内側面は、前記ボックス口複合エッジの内側の直線エッジの外側面に取り付けられており、しかも取り付け位置にロック部が設けられ、溝の外溝壁の内側面には、水平方向に内側へ突き出たバンプがあり、しかも前記バンプは、前記ボックス口複合エッジの外側の直線エッジの下端部をロックし、前記ボックス口複合エッジの外側の直線エッジは、下向きに斜め外側に延伸しおり、しかもその下端部は、溝の外溝壁の内側面で支えられている。
【０００４】
上述した発明では、溝の内溝壁の内側面は、前記ボックス口複合エッジの内側の直線エッジの外側面に取り付けれられて、しかもこの取り付け部にロック部を設け、内部密封の構造を形成する。前記ボックス口複合エッジの外側の直線エッジは、下向きに斜め外側に延伸しおり、しかもその下端部は、溝の外溝壁の内側面で支えられて、外部密封の構造を形成する。溝の外溝壁の内側面には、水平方向に内側へ突き出たバンプがあり、しかも前記バンプは、前記ボックス口複合エッジの外側の直線エッジの下端部をロックし、アンチトリッピングの構造を形成する。優れた密封性能と圧縮強度を実現するために、食品スープのオーバーフローを効果的に防止し、フレキシブルボックス本体を絞ったときにボックスの蓋が脱落しにくい。
【先行技術文献】
【特許文献】
【０００５】
【特許文献１】中国実用新案86210848U号公報
【特許文献２】中国実用新案87216769U号公報
【特許文献３】中国実用新案89200752U号公報
【特許文献４】中国実用新案94222756U号公報
【特許文献５】中国実用新案89218416U号公報
【特許文献６】中国発明特許100456989C(200510042475.8)公報
【考案の概要】
【０００６】
しかしながら、上述した発明には、まだ以下の欠点がある。
ボックス本体のボックス口複合エッジの外側の直線エッジは、下向きに斜め外側に延伸しおり、しかもその下端部は、ボックス蓋の環状溝の外溝壁の内側面で支えられる。ボックスの蓋と開口ボックス本体を対応して閉じた後、ボックスの蓋の環状溝の外溝壁が外側になり、ボックス本体のボックス口複合エッジの外側の直線エッジが内側になるため、ボックス本体のボックス口複合エッジの下方の位置が外力で絞られると、内側へへこんで変形し、このボックス口複合エッジは、内向きおよび下向きの引っ張り力を受けて、トリップ防止構造が破壊されてきて、ボックス口複合エッジの外側の直線エッジの下端部は、環状溝の外溝壁の内側面に設けられるバンプにロックされない。したがって、外力の作用下で、この種の包装容器のトリップ防止構造の安定性を強化する必要がある。さらに、この包装容器は、トリップ防止構造が不安定な場合に、当然、密閉性能も低下する。
【考案が解決しようとする課題】
【０００７】
本考案の目的は、安定したトリップ防止構造および良好な密封性能を備えた新規の密封包装容器を提供することである。
【０００８】
上記の目的を達成するために、本考案は以下の技術的解決策を採用する。
【０００９】
新規の密封包装容器を提供し、それは、容器蓋と開口容器本体とを含み、前記容器蓋のエッジは、外側へ向き延伸し、溝口が下方向きの環状な第１の内側マッチング溝を設け、前記第１の内側マッチング溝の外溝壁の下端は、外側および上方に順番に曲げられて延伸し、溝口が上方向きの環状な第１の外側マッチング溝を形成する。前記容器本体の口エッジは、溝口が下方向きの環状な第２の内側マッチング溝を設け、前記第２の内側マッチング溝の外溝壁の下端は、外側および上方に順番に曲げられて延伸し、溝口が上方向きの環状な第２の外側マッチング溝を形成する。前記第１の内側マッチング溝と、前記第１の外側マッチング溝と、前記第２の内側マッチング溝と、前記第２の外側マッチング溝とは、すべて、弾性なマッチング溝であって、前記第２の内側マッチング溝は、前記第１の内側マッチング溝に係合され、前記第１の外側マッチング溝は、前記第２の外側マッチング溝に係合される。
【００１０】
前記第２の外側マッチング溝の外溝壁の内側面には、リミットストップが設けられ、前記リミットストップは、前記第１の外側マッチング溝の外溝壁の上端部をロックしており、及び／又は、前記第２の外側マッチング溝の外溝壁は、逆テーパー構造を呈し、前記第１の外側マッチング溝の外溝壁は、前記第２の外側マッチング溝の外溝壁との間に、互いに表面接触し、または弾性支持の方法で互いに線接触している。及び／又は、前記第１の内側マッチング溝の内溝壁の外側面と前記第２の内側マッチング溝の内溝壁の内側面は、それぞれ、互いに係合する第１の内側頂圧部品と第２の内側頂圧部品を設けている。及び／又は、前記第１の内側マッチング溝の外溝壁の内側面と前記第２の内側マッチング溝の外溝壁の外側面は、それぞれ、互いに係合する第１の外側頂圧部品と第２の外側頂圧部品を設けている。
【００１１】
前記第１の内側マッチング溝の内溝壁と前記第２の内側マッチング溝の内溝壁は、お互いに適合の円錐形を呈し、しかも相互に貼り付けられている。または、前記第１の内側マッチング溝の外溝壁と前記第２の内側マッチング溝の外溝壁は、お互いに適合の円錐形を呈し、しかも相互に貼り付けられている。及び／又は、前記第１の外側マッチング溝の外溝壁と前記第２の外側マッチング溝の外溝壁は、お互いに適合の円錐形を呈し、しかも相互に貼り付けられて或いは弾性支持の方法で互いに線接触している。
【００１２】
前記第１の内側マッチング溝の内溝壁は、前記第２の内側マッチング溝の内溝壁との間に、弾性支持の方法で互いに線接触している。及び／又は、前記第１の内側マッチング溝の外溝壁は、前記第２の内側マッチング溝の外溝壁との間に、弾性支持の方法で互いに線接触している。
【００１３】
前記第２の外側マッチング溝の外溝壁は、上端部から下向きに延伸し、二つの裂けやすいインデントを設け、前記二つのインデントの間での部分は、偽造防止のティアーストリップを形成し、前記二つのインデントの深さは、前記第２の外側マッチング溝の外溝壁の厚さよりもわずかに浅い。
【００１４】
前記容器蓋のエッジは、上向きに曲げられて延伸し、前記第１の内側マッチング溝の内溝壁を形成し、前記第１の内側マッチング溝の内溝壁の上端部は、外側へ曲げられて延伸し、前記第１の内側マッチング溝の溝トップ部を形成し、前記第１の内側マッチング溝の溝トップ部の外端部は、下向きへ曲げられて延伸し、前記第１の内側マッチング溝の外溝壁又は、前記第１の外側マッチング溝の内溝壁を形成し、前記第１の内側マッチング溝の外溝壁の下端部は、外側へ曲げられて延伸し、前記第１の外側マッチング溝の溝底を形成し、前記第１の外側マッチング溝の溝底の外端部は、上向きに曲げられて延伸し、前記第１の外側マッチング溝の外溝壁を形成する；前記容器本体の口エッジは上方へ曲げられて延伸し、前記第２の内側マッチング溝の内溝壁を形成し、前記第２の内側マッチング溝の内溝壁の上端部は、外側へ曲げられて延伸し、前記第２の内側マッチング溝の溝トップ部を形成し、前記第２の内側マッチング溝の溝トップ部の外端部は、下向きへ曲げられて延伸し、前記第２の内側マッチング溝の外溝壁又は、前記第２の外側マッチング溝の内溝壁を形成し、前記第２の内側マッチング溝の外溝壁の下端部は、外側へ曲げられて延伸し、前記第２の外側マッチング溝の溝底を形成し、前記第２の外側マッチング溝の溝底の外端部は、上向きに曲げられて延伸し、前記第２の外側マッチング溝の外溝壁を形成する。
【００１５】
前記第１の内側マッチング溝の内溝壁と、前記第２の内側マッチング溝の内溝壁と、前記第１の内側マッチング溝の外溝壁と、前記第２の内側マッチング溝の外溝壁とのテーパーは、すべて２〜１２°となる。
【００１６】
前記第１の外側マッチング溝または／及び前記第２の内側マッチング溝の内部は、中実の円錐体で満たされている。
【００１７】
前記第１の外側マッチング溝は、締まりばめの方式で第２の外側マッチング溝に係合され、又は／及び前記第２の内側マッチング溝は、締まりばめの方式で第１の内側マッチング溝に係合される。
【００１８】
前記第１の内側マッチング溝の内溝壁の外側面は、第１の内側頂圧部品を設け、または前記第２の内側マッチング溝の内溝壁の内側面は、第２の内側頂圧部品を設け、または、前記第１の内側マッチング溝の外溝壁の内側面は、第１の外側頂圧部品を設け、または前記第２の内側マッチング溝の外溝壁の外側面は、第２の外側頂圧部品を設ける。
【００１９】
前記第１の内側マッチング溝の内溝壁は、前記第２の内側マッチング溝の内溝壁と正接し、及び／または前記第１の内側マッチング溝の外溝壁は、前記第２の内側マッチング溝の外溝壁と正接する。
【００２０】
前記インデントは、前記第２の外側マッチング溝の外溝壁の下端部まで延伸し、前記第２の外側マッチング溝の溝底が偽造防止のティアーストリップに対応する部分は、複数の中空部を設け、複数の前記偽造防止のティアーストリップと前記第２の外側マッチング溝の内溝壁との間に接続している接続リッブを形成し、前記中空部は、密封されてフィルムで覆われる。
【考案の効果】
【００２１】
上述した方案を採用した後、本考案は、新規の密封包装容器であって、前記第２の内側マッチング溝は、前記第１の内側マッチング溝内に係合され、第１の外側マッチング溝は、第２の外側マッチング溝内に係合されており、容器蓋のエッジは、容器本体の口エッジとの間に相互にクロスする回転式のマッチング構造を形成し、容器蓋と容器本体とのマッチング処の強度がより高い。その中、アンチトリッピングの構造は、５つの形態を採用し、第一の形態は、リミットストップによって実現され、第二と第三の形態は、すべて外側マッチング溝の外溝壁の逆テーパー面の構造によって実現され、第四と第五の形態は、すべて頂圧部品によって実現される。リミットストップによって実現される場合、リミットストップは、上側にあり、前記第１の外側マッチング溝の外溝壁の上端部は、下側にあり、リミットストップによって前記第１の外側マッチング溝の外溝壁の上端部に対してロックし、第一のアンチトリッピングの構造を形成する。前記第２の外側マッチング溝の外溝壁の逆テーパー面の構造によって実現される場合、前記第１の外側マッチング溝の外溝壁と前記第２の外側マッチング溝の外溝壁との間は、互いに表面接触し、または弾性支持の方法で互いに線接触し、前記第２の外側マッチング溝の外溝壁の逆テーパー面の構造を通って、前記第１の外側マッチング溝の外溝壁に対してロックし、それぞれ第二、第三のアンチトリッピングの構造を形成する。前記頂圧部品によって実現される場合、前記第１の内側マッチング溝の内溝壁の外側面と前記第２の内側マッチング溝の内溝壁の内側面は、それぞれ互いに係合する第１の内側頂圧部品と第２の内側頂圧部品を設け、及び／又は、前記第１の内側マッチング溝の外溝壁の内側面と前記第２の内側マッチング溝の外溝壁の外側面は、それぞれ、互いに係合する第１の外側頂圧部品と第２の外側頂圧部品を設け、それぞれ第四、第五のアンチトリッピングの構造を形成する。
【００２２】
容器本体の口エッジの下方位置は、外力で絞られたりねじれたりすると、内側に凹んで変形しており、前記第２の内側マッチング溝と前記第２の外側マッチング溝は、すべて内向き及び下向きの引っ張り力を受ける。前記第２の内側マッチング溝と前記第２の外側マッチング溝及び前記第１の内側マッチング溝と前記第１の外側マッチング溝は、クロスに係合するよう設けられ、しかも前記第２の外側マッチング溝は、外側にあり、前記第１の外側マッチング溝は、内側にあり、前記第２の内側マッチング溝と前記第２の外側マッチング溝は、外力によって内向き及び下向きに引っ張られる場合、前記第２の外側マッチング溝は、前記第１の外側マッチング溝でよりしっかり押し付けられても、各アンチトリッピングの構造の安定性を確保でき、外力で絞られたりねじれたりするほど、アンチトリッピングの構造は、しっかりとロックされる。したがって、本考案の新規の密封包装容器は、効果的に外力で絞られたりねじれたりする状況を克服でき、アンチトリッピングの構造が比較的安定し、しかも強度が高い。さらに、本考案では、少なくとも前記第１の内側マッチング溝と第１の外側マッチング溝及び前記第２の内側マッチング溝と第２の外側マッチング溝のいずれの一対相応溝壁は、適切な円錐形を呈し、しかも相互に貼り付けられて、相応のテーパーにより、容器蓋のエッジと容器本体の口エッジとの密封性能を実現する。なお、本考案では、前記第１の内側マッチング溝の内溝壁は、前記第２の内側マッチング溝の内溝壁との間に、弾性支持の方法で互いに線接触している；及び／又は前記第１の内側マッチング溝の外溝壁は、前記第２の内側マッチング溝の外溝壁との間に、弾性支持の方法で互いに線接触している。前記第１の内側マッチング溝の内溝壁と前記第２の内側マッチング溝の内溝壁との間の線接続を通って、及び／又は前記第１の内側マッチング溝の外溝壁と前記第２の内側マッチング溝の外溝壁との間の線接続を通って、容器蓋のエッジと容器本体の口エッジとの間に内側エッジ線の密封構造および/または中間エッジ線の密封構造を形成し、それにより、容器蓋のエッジと容器本体の口エッジとの間の密封性能を向上させる。また、本考案では、前記第２の外側マッチング溝の外溝壁は、上端部から下向きに延伸し、二つの裂けやすいインデントを設け、前記二つのインデントの間での部分は、偽造防止のティアーストリップを形成し、前記二つのインデントの深さは、前記第２の外側マッチング溝の外溝壁の厚さよりもわずかに浅い。ティアーストリップの設置を通って、一方では、偽造防止の目的が達成され、他方では、下方へ偽造防止のティアーストリップを引き開けると、前記第２の外側マッチング溝の外溝壁にギャップが現れて、前記第２の外側マッチング溝の外溝壁が露出するため、ユーザーは容器蓋を簡単に引き抜くことができ、蓋を開けるのは、非常に便利である。また、前記インデントは、前記第２の外側マッチング溝の外溝壁を貫通しないため、包装ボックスの密封性が確保される。
【００２３】
さらに、前記第１の外側マッチング溝または／及び前記第２の内側マッチング溝の内部は、中実の円錐体で満たされている。前記中実の円錐体を設けることによって、前記第１の外側マッチング溝と前記第２の内側マッチング溝との構造強度を向上させて、しかも前記第１の外側マッチング溝と前記第１の内側マッチング溝との間、前記第２の外側マッチング溝と前記第２の内側マッチング溝との間の嵌合安定性を向上させる。
【００２４】
さらに、前記第１の外側マッチング溝は、締まりばめの方式で第２の外側マッチング溝に係合され、又は／及び前記第２の内側マッチング溝は、締まりばめの方式で第１の内側マッチング溝に係合され、それによって、締まりばめにより、内側エッジ線の密封構造および/または中間エッジ線の密封構造、外側エッジ線の密封構造の密封性能がより信頼できる。
【００２５】
さらに、前記第１の内側マッチング溝の内溝壁の外側面は、第１の内側頂圧部品を設け、または前記第２の内側マッチング溝の内溝壁の内側面は、第２の内側頂圧部品を設け、または、前記第１の内側マッチング溝の外溝壁の内側面は、第１の外側頂圧部品を設け、または前記第２の内側マッチング溝の外溝壁の外側面は、第２の外側頂圧部品を設ける。一方では、前記頂圧部品と相応する溝壁との間で、一つの線密封構造を形成するが、他方では、前記頂圧部品の頂圧で、相応する溝壁の間の線密封構造または面密封構造の密封性能を強化できる。
【００２６】
さらに、前記第１の内側マッチング溝の内溝壁は、前記第２の内側マッチング溝の内溝壁と正接し、及び／または前記第１の内側マッチング溝の外溝壁は、前記第２の内側マッチング溝の外溝壁と正接する。正接する方式で、線密封構造を形成する。
【００２７】
さらに、前記インデントは、前記第２の外側マッチング溝の外溝壁の下端部まで延伸し、前記第２の外側マッチング溝の溝底が偽造防止のティアーストリップに対応する部分は、複数の中空部を設け、複数の前記偽造防止のティアーストリップと前記第２の外側マッチング溝の内溝壁との間に接続している接続リッブを形成し、前記中空部は、密封されてフィルムで覆われる。偽造防止のティアーストリップが完全に引き抜くことができる構造形式に設置されている場合、前記第２の外側マッチング溝の溝底が偽造防止のティアーストリップに対応する部分は、複数の中空部を設け、前記中空部は、それぞれ密封されてフィルムで覆われ、更に、容器蓋のエッジと容器本体の口エッジとの間の密封性能を確保する。
【図面の簡単な説明】
【００２８】
【図１】本考案の第１実施形態の全体構造の底面図を示す図である。
【００２９】
【図２】本考案の第１実施形態におけるボックス蓋とボックス本体との間の合わせの概略図である。
【００３０】
【図３】本考案の第２〜２８実施形態における中型ボックス蓋とボックス本体との間の合わせの概略図である。
【図４】同上
【図５】同上
【図６】同上
【図７】同上
【図８】同上
【図９】同上
【図１０】同上
【図１１】同上
【図１２】同上
【図１３】同上
【図１４】同上
【図１５】同上
【図１６】同上
【図１７】同上
【図１８】同上
【図１９】同上
【図２０】同上
【図２１】同上
【図２２】同上
【図２３】同上
【図２４】同上
【図２５】同上
【図２６】同上
【図２７】同上
【図２８】同上
【図２９】同上
【考案を実施するための形態】
【００３１】
本考案は、図面と併せて以下にさらに説明される。
【００３２】
本考案は、新規の密封包装容器を提供し、説明の便宜のために、包装ボックスを例として説明する。
【００３３】
本考案において、包装ボックスの中心軸に面する方向を内側とし、包装ボックスの中心軸から離れる方向を外側とする。
【００３４】
本考案において、包装ボックスのボックス蓋とボックス本体は、弾性材料で作られているか、または、ボックス蓋がボックス本体との合わせ部分は、弾性材料で作られている。 弾性材料は、弾性と可塑性に優れた極薄の射出成形材料、または、より厚いプラスチックや弾性金属などの他の弾性材料で作ることができる。
【００３５】
第１実施形態
【００３６】
本考案は、新規の密封包装容器を提供し、第１実施形態の図1〜図２を示すように、それは、ボックス蓋１と開口のボックス本体２とを含み、前記ボックス蓋１のエッジは、外側へ向き延伸し、溝口が下方向きの環状な第１の内側マッチング溝１１を設け、前記第１の内側マッチング溝の外溝壁１１３の下端は、外側および上方に順番に曲げられて延伸し、溝口が上方向きの環状な第１の外側マッチング溝１２を形成する。前記ボックス本体２の口エッジは、溝口が下方向きの環状な第２の内側マッチング溝２１を設け、前記第２の内側マッチング溝の外溝壁２１３の下端は、外側および上方に順番に曲げられて延伸し、溝口が上方向きの環状な第２の外側マッチング溝２２を形成する。前記第１の内側マッチング溝１１と、前記第１の外側マッチング溝１２と、前記第２の内側マッチング溝２１と、前記第２の外側マッチング溝２２とは、すべて、弾性なマッチング溝である。前記第２の外側マッチング溝の外溝壁２２３の内側面には、リミットストップ２３が設けられ、第２の内側マッチング溝２１は、前記第１の内側マッチング溝１１に係合され、前記第１の外側マッチング溝１２は、前記第２の外側マッチング溝２２に係合され、前記リミットストップ２３は、前記第１の外側マッチング溝の外溝壁１２３の上端部をロックする。
【００３７】
前記ボックス蓋１のエッジは、上向きに曲げられて延伸し、前記第１の内側マッチング溝１１の内溝壁１１１を形成し、前記第１の内側マッチング溝の内溝壁１１１の上端部は、外側へ曲げられて延伸し、前記第１の内側マッチング溝の溝トップ部１１２を形成し、前記第１の内側マッチング溝の溝トップ部１１２の外端部は、下向きへ曲げられて延伸し、前記第１の内側マッチング溝の外溝壁１１３又は、前記第１の外側マッチング溝の内溝壁１２１を形成し（前記第１の内側マッチング溝の外溝壁１１３と前記第１の外側マッチング溝の内溝壁１２１は、共有されている）、前記第１の内側マッチング溝の外溝壁１１３の下端部は、外側へ曲げられて延伸し、前記第１の外側マッチング溝の溝底１２２を形成し、前記第１の外側マッチング溝の溝底１２２の外端部は、上向きに曲げられて延伸し、前記第１の外側マッチング溝の外溝壁１２３を形成する。
【００３８】
前記ボックス本体２の口エッジは、上方へ曲げられて延伸し、前記第２の内側マッチング溝２１の内溝壁２１１を形成し、前記第２の内側マッチング溝の内溝壁２１１の上端部は、外側へ曲げられて延伸し、前記第２の内側マッチング溝の溝トップ部２１２を形成し、前記第２の内側マッチング溝の溝トップ部２１２の外端部は、下向きへ曲げられて延伸し、前記第２の内側マッチング溝の外溝壁２１３又は、前記第２の外側マッチング溝の内溝壁２２１を形成し（前記第２の内側マッチング溝の外溝壁２１３と前記第２の外側マッチング溝の内溝壁２２１は、共有されている）、前記第２の内側マッチング溝の外溝壁２１３の下端部は、外側へ曲げられて延伸し、前記第２の外側マッチング溝の溝底２２２を形成し、前記第２の外側マッチング溝の溝底２２２の外端部は、上向きに曲げられて延伸し、前記第２の外側マッチング溝の外溝壁２２３を形成する。
【００３９】
前記第２の内側マッチング溝２１は、前記第１の内側マッチング溝１１内に係合され、第１の外側マッチング溝１２は、第２の外側マッチング溝２２内に係合されており、ボックス蓋１のエッジは、ボックス本体２の口エッジとの間に相互にクロスする回転式のマッチング構造を形成し、ボックス蓋１とボックス本体２とのマッチング処の強度がより高い。しかも、リミットストップ２３は、上側にあり、前記第１の外側マッチング溝の外溝壁１２３の上端部は、下側にあり、リミットストップ２３によって前記第１の外側マッチング溝の外溝壁１２３の上端部に対してロックし、アンチトリッピングの構造を形成する。容器本体２の口エッジの下方位置は、外力で絞られたりねじれたりすると、内側に凹んで変形しており、前記第２の内側マッチング溝２１と前記第２の外側マッチング溝２２は、すべて内向き及び下向きの引っ張り力を受ける。前記第２の内側マッチング溝２１と前記第２の外側マッチング溝２２及び前記第１の内側マッチング溝１１と前記第１の外側マッチング溝１２は、クロスに係合するよう設けられ、しかも前記第２の外側マッチング溝２２は、外側にあり、前記第１の外側マッチング溝１２は、内側にあるため、前記第２の内側マッチング溝２１と前記第２の外側マッチング溝２２は、外力によって内向き及び下向きに引っ張られる場合、前記第２の外側マッチング溝２２は、前記第１の外側マッチング溝１２でよりしっかり押し付けられて、前記リミットストップ２３は、更に前記第１の外側マッチング溝１２の外溝壁１２３の上端に押し付けられてロックし、外力で絞られたりねじれたりするほど、アンチトリッピングの構造は、しっかりとロックされる。したがって、本考案の新規の密封包装容器は、外力の絞りまたはねじれを効果的に克服することができ、アンチトリッピングの構造は、比較的安定しており、強度が高い。
【００４０】
前記リミットストップ２３は、円周方向に沿った間隔で、第２の外側マッチング溝２２の外溝壁２２３の内側面に分布し、前記リミットストップ２３は、点状構造または尖った構造を呈し、または、前記リミットストップ２３は、閉じた円形を呈し、円周方向に沿って前記第２の外側マッチング溝２２の外溝壁２２３の内側面に設けられる。
【００４１】
前記第１の内側マッチング溝１１の内溝壁は、直線エッジ構造を採用し、しかも各曲がり処は、アーク遷移構造であり、前記第１の内側マッチング溝１１の外溝壁と、前記第１の外側マッチング溝１２の外溝壁と、前記第２の内側マッチング溝２１の内溝壁と、前記第２の外側マッチング溝２２の外溝壁は、テーパー面の構造を採用する。前記第２の外側マッチング溝２１は、第１の内側マッチング溝１１と締まりばめであり、前記第２の外側マッチング溝２２は、第１の外側マッチング溝１２と締まりばめである。
【００４２】
前記第１の外側マッチング溝１２の内溝壁と前記第２の外側マッチング溝２２の内溝壁は、適切なテーパー面の構造を採用し、しかも貼り付けられて、中間エッジの密封構造を形成する。
【００４３】
締まりばめを使用し、前記第１の内側マッチング溝１１の内溝壁の湾曲した円弧遷移処は、前記第２の外側マッチング溝２１の内溝壁に正接し、内側エッジ線の密封構造を形成する。
【００４４】
前記第２の外側マッチング溝の外溝壁２２３は、上端部から下向きに延伸し、二つの裂けやすいインデント２２３１を設け、前記二つのインデント２２３１の深さは、前記第２の外側マッチング溝２２の外溝壁２２３の厚さよりもわずかに浅いが、好ましくは、前記インデント２２３１の深さは、前記第２の外側マッチング溝２２の外溝壁２２３の厚さよりも０．０５〜０．１０ｍｍ小さい。前記第２の外側マッチング溝２２の外溝壁２２３は、前記二つのインデント２２３１によって２つの部分に分割されて、前記二つのインデント２２３１の間の部分は、引き裂きやすくて、残りの部分は、外溝壁２２３の主要部分であり、この引き裂きやすい部分は、偽造防止のティアーストリップ２２３２となって、偽造防止のティアーストリップ２２３２を通って、一方では、偽造防止の目的が達成されることができ、他方では、前記偽造防止のティアーストリップ２２３２を引き剥がすと、前記第２の外側マッチング溝２２の外溝壁２２３に切り込みが入り、前記第１の外側マッチング溝の外溝壁１２３が露出し、ボックス蓋１を容易に引き抜くことができるため、蓋を開けやすい。
【００４５】
前記インデント２２３１は、、前記第２の外側マッチング溝２２の外溝壁２２３の高さの約半分まで延伸することができ、または前記第２の外側マッチング溝２２の外溝壁２２３の高さ全体を貫通することができる。この実施形態では、前記偽造防止のティアーストリップ２２３２は、完全に引き抜くことができる構造で設けられることができ、前記インデント２２３１は、前記第２の外側マッチング溝２２の外溝壁２２３の高さ全体を貫通し、しかも前記第２の外側マッチング溝２２の溝底２２２は、偽造防止のティアーストリップ２２３２と対応する部分には、複数の中空部２２２１を設け、複数の前記偽造防止のティアーストリップ２２３２と前記第２の外側マッチング溝の内溝壁２１１との間に接続している接続リッブ２２２２を形成し、前記中空部２２２１は、密封されてフィルム２２２３で覆われる。前記中空部２２２１の処では、密封されてフィルム２２２３で覆われるため、更に、ボックス蓋１のエッジとボックス本体２の口エッジとの密封性能を保証できる。
【００４６】
前記第１の外側マッチング溝１２の溝底と前記第２の外側マッチング溝２２の溝底は、相互に面接続して貼り付ける。
【００４７】
第２〜２４実施形態
【００４８】
図３〜図２５に示すように、第２〜２４実施形態は、第１の実施形態の基本構造のすべての変形であり、それらはすべて、前記第２の外側マッチング溝２１は、第１の内側マッチング溝１１と締まりばめであり、前記第２の外側マッチング溝２２は、第１の外側マッチング溝１２と締まりばめであって、前記第２の外側マッチング溝２１の内溝壁と第１の内側マッチング溝１１の内溝壁との間に、及び／又は前記第２の外側マッチング溝２１の外溝壁と第１の内側マッチング溝１１の外溝壁との間に、正接し、内側エッジ線の密封構造及び／又は中間エッジの密封構造を形成し、前記第２の内側マッチング溝２１と前記第１の内側マッチング溝１１の溝トップ部との間に、互いに面接触し、面密封構造を形成し、前記第２の外側マッチング溝２２と前記第１の外側マッチング溝１２の溝底との間に、互いに面接触しているか、または互いに接触していない、前記第１の外側マッチング溝１２の外溝壁は、前記第２の外側マッチング溝２２の外溝壁との間、互いに面接触し、外側エッジ面の密封構造を形成する。
【００４９】
前記第１の内側マッチング溝１１の内溝壁、前記第１の内側マッチング溝１１の外溝壁、前記第２の内側マッチング溝２１の内溝壁と、前記第２の内側マッチング溝２１の外溝壁は、すべて必要に応じて、直線エッジ構造、またはテーパー構造、または逆テーパー構造を採用でき、しかも各溝壁の曲がり処は、すべて円弧遷移構造である。締まりばめを使用し、溝壁の湾曲した円弧遷移処は、対応する溝壁に正接しており、それぞれ内側エッジ線の密封構造及び中間エッジ線の密封構造を形成する。
【００５０】
第２５実施形態
【００５１】
図２６に示すように、この実施形態と第１の実施形態との違いは、リミットストップ２３が省略されていることのみであって、前記第２の外側マッチング溝２２の外溝壁と前記第１の外側マッチング溝１２の外溝壁は、適切に貼り付けられて逆テーパー面構造を呈する。逆テーパー面の構造の前記第２の外側マッチング溝２２の外溝壁を通って、前記第１の外側マッチング溝の外溝壁１２３に対してロックし、第二のアンチトリッピングの構造を形成する。
【００５２】
第２６実施形態
【００５３】
図２７に示すように、この実施形態と第１の実施形態との違いは、リミットストップ２３が省略されていることのみであって、前記第２の外側マッチング溝２２の外溝壁は、逆テーパー面構造を呈し、前記第１の外側マッチング溝の外溝壁１２３の上端部は、上向きおよび外向きに傾斜して張力がかけられて、前記第２の外側マッチング溝の外溝壁２２３の内側面に保持され、外側エッジ線の密封構造を形成する。逆テーパー面の構造の前記第２の外側マッチング溝２２の外溝壁を通って、前記第１の外側マッチング溝の外溝壁１２３に対してロックし、第三のアンチトリッピングの構造を形成する。
【００５４】
第２７実施形態
【００５５】
図２８に示すように、この実施形態と第２５の実施形態との違いは、第１の内側マッチング溝の内溝壁１１１は、テーパー面構造を採用し、前記第１の内側マッチング溝の外溝壁１１３は、逆テーパー面構造を採用し、第２の内側マッチング溝の外溝壁２１３は、直線エッジ構造を採用する。前記第２の内側マッチング溝２１の内溝壁２１１の内側面は、第１の内側頂圧部品１１１１と相互に係合する第２の内側頂圧部品２１１１を追加する。前記第１の内側頂圧部品１１１１と前記第２の内側頂圧部品２１１１との相互に係合することによって、第四のアンチトリッピングの構造を形成する。
【００５６】
第２８実施形態
【００５７】
図２８に示すように、この実施形態と第２５の実施形態との違いは、前記第１の内側マッチング溝１１の外溝壁１１３は、第２の内側マッチング溝２１の外溝壁２１３と相互に貼り付けないが、しかも前記第１の内側マッチング溝１１の外溝壁１１３の内側面と第２の内側マッチング溝２１の外溝壁２１３の外側面は、それぞれ相互に係合する第１の外側頂圧部品１１３１と第２の外側頂圧部品２１３１を設ける。前記第１の外側頂圧部品１１３１と前記第２の外側頂圧部品２１３１との相互に係合することによって、第五のアンチトリッピングの構造を形成する。
【００５８】
本考案の核心は、以下にある。容器蓋のエッジと容器本体の口エッジとの間にそれぞれ、内溝壁、外溝壁を設けるため、容器蓋のエッジは、容器本体の口エッジとの間に相互にクロスする回転式のマッチング構造を形成し、容器蓋と容器本体とのマッチング処の強度がより高い。その中、アンチトリッピングの構造は、５つの形態を採用し、第一の形態は、リミットストップによって実現され、第二と第三の形態は、すべて外側マッチング溝の外溝壁の逆テーパー面の構造によって実現され、第四と第五の形態は、すべて頂圧部品によって実現される。リミットストップによって実現される場合、リミットストップは、上側にあり、前記第１の外側マッチング溝の外溝壁の上端部は、下側にあり、リミットストップによって前記第１の外側マッチング溝の外溝壁の上端部に対してロックし、第一のアンチトリッピングの構造を形成する。前記第２の外側マッチング溝の外溝壁の逆テーパー面の構造によって実現される場合、前記第１の外側マッチング溝の外溝壁と前記第２の外側マッチング溝の外溝壁との間は、互いに面接触し、または弾性支持の方法で互いに線接触し、前記第２の外側マッチング溝の外溝壁の逆テーパー面の構造を通って、前記第１の外側マッチング溝の外溝壁に対してロックし、それぞれ第二、第三のアンチトリッピングの構造を形成する。前記頂圧部品によって実現される場合、前記第１の内側マッチング溝の内溝壁の外側面と前記第２の内側マッチング溝の内溝壁の内側面は、それぞれ互いに係合する第１の内側頂圧部品と第２の内側頂圧部品を設け、及び／又は、前記第１の内側マッチング溝の外溝壁の内側面と前記第２の内側マッチング溝の外溝壁の外側面は、それぞれ、互いに係合する第１の外側頂圧部品と第２の外側頂圧部品を設け、それぞれ第四、第五のアンチトリッピングの構造を形成する。
【００５９】
容器本体の口エッジの下方位置は、外力で絞られたりねじれたりすると、内側に凹んで変形しており、前記第２の内側マッチング溝と前記第２の外側マッチング溝は、すべて内向き及び下向きの引っ張り力を受けて、前記第２の内側マッチング溝と前記第２の外側マッチング溝及び前記第１の内側マッチング溝と前記第１の外側マッチング溝は、クロスに係合するよう設けられ、しかも前記第２の外側マッチング溝は、外側にあり、前記第１の外側マッチング溝は、内側にあり、前記第２の内側マッチング溝と前記第２の外側マッチング溝は、外力によって内向き及び下向きに引っ張られる場合、前記第２の外側マッチング溝は、前記第１の外側マッチング溝でよりしっかり押し付けられても、各アンチトリッピングの構造の安定性を確保でき、外力で絞られたりねじれたりするほど、アンチトリッピングの構造は、しっかりとロックされる。したがって、本考案の新規の密封包装容器は、効果的に外力で絞られたりねじれたりする状況を克服でき、アンチトリッピングの構造が比較的安定で、しかも強度が高い。さらに、本考案では、少なくとも前記第１の内側マッチング溝と第１の外側マッチング溝及び前記第２の内側マッチング溝と第２の外側マッチング溝のいずれの一対相応溝壁は、適切な円錐形を呈し、しかも相互に貼り付けられ、相応のテーパーにより、容器蓋のエッジと容器本体の口エッジとの密封性能を実現する。なお、本考案では、前記第１の内側マッチング溝の内溝壁は、前記第２の内側マッチング溝の内溝壁との間に、弾性支持の方法で互いに線接触している；及び／又は前記第１の内側マッチング溝の外溝壁は、前記第２の内側マッチング溝の外溝壁との間に、弾性支持の方法で互いに線接触している。前記第１の内側マッチング溝の内溝壁と前記第２の内側マッチング溝の内溝壁との間の線接続を通って、および／または前記第１の内側マッチング溝の外溝壁と前記第２の内側マッチング溝の外溝壁との間の線接続を通って、容器蓋のエッジと容器本体の口エッジとの間に内側エッジ線の密封構造および/または中間エッジ線の密封構造を形成し、それにより、容器蓋のエッジと容器本体の口エッジとの間の密封性能を向上させる。また、本考案では、前記第２の外側マッチング溝の外溝壁は、上端部から下向きに延伸し、二つの裂けやすいインデントを設け、前記二つのインデントの間での部分は、偽造防止のティアーストリップを形成し、前記二つのインデントの深さは、前記第２の外側マッチング溝の外溝壁の厚さよりもわずかに浅い。ティアーストリップの設置を通って、一方では、偽造防止の目的が達成され、他方では、下方へ偽造防止のティアーストリップを引き開けると、前記第２の外側マッチング溝の外溝壁にギャップが現れて、前記第２の外側マッチング溝の外溝壁が露出するため、ユーザーは容器蓋を簡単に引き抜くことができ、蓋を開けるのは、非常に便利である。また、前記インデントは、前記第２の外側マッチング溝の外溝壁を貫通しないため、包装ボックスの密封性が確保される。
【００６０】
さらに、前記第１の内側マッチング溝１１の内溝壁１１１の外側面、または、前記第２の内側マッチング溝２１の内溝壁２１１の内側面には、第１の内側頂圧部品または第２の内側頂圧部品を設け、または、前記第１の内側マッチング溝の外溝壁１１３の内側面は、第１の外側頂圧部品を設け、または前記第２の内側マッチング溝の外溝壁２１３の外側面は、第２の外側頂圧部品を設ける。各頂圧部品は、閉じた円形の構造または不連続の構造を採用することができ、不連続の構造は、点状または鋸歯状を採用することができる。頂圧部品の頂圧支持を通って、更に、相応する溝壁の間の面密封性能を増加し、内側エッジ線の密封構造及び／又は中間エッジ線の密封構造の密封性能を強化させ、しかも、前記頂圧部品は、閉じた円形の構造を採用する場合、前記頂圧部品と相応する溝壁との間で、一つの線密封構造を形成できる。
【００６１】
リミットストップ２３が設けられている本考案の各実施形態において、第１の外側マッチング溝の外溝壁１２３の上端部は、すべで前記リミットストップ２３の下方にロックされている。
【００６２】
本考案の各実施形態において、各マッチング溝の各溝壁がテーパー面構造を採用する場合、テーパー面のテーパーは、すべて２〜１２°となるように選択する。
【００６３】
さらに、本考案では、第２の外側マッチング溝の外溝壁は、それぞれプルリングとハンドルを設けることができる。プルリングまたはハンドルによって、第２の外側マッチング溝の外溝壁を簡単に外側に引っ張って変形させることができ、第１の外側マッチング溝の外溝壁を露出させることができ、容器蓋を開けるのに便利である。
【００６４】
さらに、本考案において、第２の外側マッチング溝の外溝壁は、垂直に配置された第１の切り口と第２の切り口を設け、前記第１の切り口と前記第２の切り口の深さは、第２の外側マッチング溝の外溝壁の厚さよりもわずかに小さい。2つの切り口により、2つの切り口の間にある第２の外側マッチング溝の外溝壁の部分を垂直方向に部分的または完全に引き裂いて、第１の外側マッチング溝の外溝壁を露出させることができ、容器蓋を開けるのに便利である。
【００６５】
また、本考案においては、前記第２の外側マッチング溝の外溝壁の上辺エッジは、切り口を設けることができ、前記第２の外側マッチング溝の外溝壁は垂直方向へ、前記切り口と相互に対応して薄い壁地域を設ける。前記切り口を通って、垂直方向へ薄い壁地域の一部または全部を引き裂いて、第１の外側マッチング溝の外溝壁を露出させることができ、容器蓋を開けるのに便利である。
【００６６】
本考案の各実施形態において、第１の外側マッチング溝１１の溝底１２２と第２の外側マッチング溝２２の溝底２２２との間に、ギャップを残してもよい。ギャップが存在するには、包装ボックスは、変形量が略小さい材質を使用する場合、包装ボックスを開くと、このギャップは、ツールのこじ開けのために設けられ、包装ボックスを簡単に開けることができる。
【００６７】
本考案の各実施形態において、前記第１の外側マッチング溝１２または／及び前記第２の内側マッチング溝２１の内部は、中実の円錐体で満たされている。前記中実の円錐体を設けることによって、前記第１の外側マッチング溝１２と前記第２の内側マッチング溝２１との構造強度を向上させ、しかも前記第１の外側マッチング溝１１と前記第１の内側マッチング溝２１との間、前記第２の外側マッチング溝１２と前記第２の内側マッチング溝２２との間の嵌合安定性を向上させる。
【００６８】
本考案の各実施形態において、５つのアンチトリッピングの構造を別々に提供することができ、または２つまたは３つまたは４つまたは５つを組み合わせて使用することができる。
【００６９】
本考案の上述した実施形態は、本考案を明確に説明するための単なる例であり、本考案の実施を制限するものではなく、その考案の属する技術の分野における通常の知識を有する者が、本考案の特許請求の範囲に対する同等の変更または修正を行っても、本実用新案の特許範囲を逸脱するものではない。ここにすべての実施形態を例する必要はない。本考案の精神にからの明らかな変化または変形は、依然として本考案の保護範囲内に含まれる。
【符号の説明】
【００７０】
１  ボックス蓋
２  開口のボックス本体
１１  第１の内側マッチング溝
１２  第１の外側マッチング溝
２１  第２の内側マッチング溝
２２  第２の外側マッチング溝
２３  リミットストップ
１１１  第１の内側マッチング溝１１の内溝壁
１１２  第１の内側マッチング溝１１の溝トップ部
１１３  第１の内側マッチング溝１１の外溝壁
１２１  第１の外側マッチング溝１１の内溝壁
１２２  第１の外側マッチング溝１１の溝底
１２３  第１の外側マッチング溝１１の外溝壁
２１１  第２の内側マッチング溝２１の内溝壁
２１２  第２の内側マッチング溝２１の溝トップ部
２１３  第２の内側マッチング溝２１の外溝壁
２２２  第２の外側マッチング溝２２の溝底
２２３  第２の外側マッチング溝２２の外溝壁
１１１１  第１の内側頂圧部品
１１３１  第１の外側頂圧部品
２１１１  第２の内側頂圧部品
２１３１  第２の外側頂圧部品
２２２１  中空部
２２２２  接続リッブ
２２２３  フィルム
２２３１  インデント
２２３２  偽造防止のティアーストリップ
【図１】
0003233393.tif 000003
【図２】
0003233393.tif 000004
【図３】
0003233393.tif 000005
【図４】
0003233393.tif 000006
【図５】
0003233393.tif 000007
【図６】
0003233393.tif 000008
【図７】
0003233393.tif 000009
【図８】
0003233393.tif 000010
【図９】
0003233393.tif 000011
【図１０】
0003233393.tif 000012
【図１１】
0003233393.tif 000013
【図１２】
0003233393.tif 000014
【図１３】
0003233393.tif 000015
【図１４】
0003233393.tif 000016
【図１５】
0003233393.tif 000017
【図１６】
0003233393.tif 000018
【図１７】
0003233393.tif 000019
【図１８】
0003233393.tif 000020
【図１９】
0003233393.tif 000021
【図２０】
0003233393.tif 000022
【図２１】
0003233393.tif 000023
【図２２】
0003233393.tif 000024
【図２３】
0003233393.tif 000025
【図２４】
0003233393.tif 000026
【図２５】
0003233393.tif 000027
【図２６】
0003233393.tif 000028
【図２７】
0003233393.tif 000029
【図２８】
0003233393.tif 000030
【図２９】
0003233393.tif 000031